(57)【特許請求の範囲】
【請求項１】
少なくとも２つのサーバ装置を含み、サーバ装置間をインターネットで結ぶ通話システムであって、
発呼側端末と接続する接続手段と、前記発呼側端末から着信側端末の電話番号を取得する電話番号取得手段と、データベースより前記電話番号に対応するもよりのアクセスポイントを取得するアクセスポイント取得手段とを有する一方のサーバ装置と、前記もよりのアクセスポイントに対応し、前記一方のサーバ装置より前記着信側端末の電話番号を取得し、この電話番号へ発呼をかける発呼手段と、着信側端末がインターネット電話か通常電話かを判断する端末判断手段と、アナログ/デジタル変換手段とを有する他方のサーバ装置と、
を有し、
前記他方のサーバ装置は、前記端末判断手段が通常電話と判断した場合は前記アナログ/デジタル変換手段によりパケット化された音声データを通常の音声にして着信側の端末に送信し、前記端末判断手段がインターネット電話であると判断した場合は接続した後に得た着信側のインターネット電話のＩＰアドレスを前記一方のサーバ装置へ通知するとともに着信側のインターネット電話には発呼側のサーバのＩＰアドレスを通知することを特徴とする通話システム。
【請求項２】
発呼側端末から、着信側電話番号を取得する電話番号取得手段と、
取得した着信電話番号からデータベースを参照し、着信側のもよりのアクセスポイントを取得するアクセスポイント取得手段と、
前記着信側のもよりのアクセスポイントから、着信側端末へ発呼接続を行う発呼手段と、
着信側の端末がインターネット電話か通常電話かを判断する端末判断手段と、
アナログ/デジタル変換手段とを有し、
前記端末判断手段が通常電話と判断した場合は着信側サーバは前記アナログ/デジタル変換手段によりパケット化された音声データを通常の音声にして着信側の端末に送信し、前記端末判断手段がインターネット電話であると判断した場合は接続した後に得た着信側のインターネット電話のＩＰアドレスを発呼側のサーバへ通知するとともに着信側のインターネット電話には発呼側のサーバのＩＰアドレスを通知することを特徴とするインターネットを利用した通話システム。
【発明の詳細な説明】
【０００１】
【発明の属する技術分野】
本発明は、インターネットフォンサーバ装置に関するものである。
【０００２】
【従来の技術】
近年、一般公衆電話回線からインターネットを利用可能としたインターネットサービスシステムが民間プロバイダー（Ｉｎｔｅｒｎｅｔ  Ｓｅｒｖｉｃｅ  Ｐｒｏｖｉｄｅｒ，以下、ＩＳＰという）によって提供され、一般からのインターネット利用が普及してきている。また、インターネットフォンと呼ばれるインターネットを利用した相互音声通信が可能となってきている。以下、従来のインターネットフォンサーバについて説明する。
【０００３】
まず、ユーザはインターネットフォン装置にて、もよりのＩＳＰのアクセスポイント（以下、ＩＳＰＡという）へ一般公衆電話回線より電話発呼しポイント・トゥ・ポイントプロトコル（Ｐｏｉｎｔ  ｔｏ  Ｐｏｉｎｔ  Ｐｒｏｔｏｃｏｌ、以下ＰＰＰという）接続する。
【０００４】
ＩＳＰＡではユーザ側のインターネットフォン装置に対して、自動的にＩＰアドレスと呼ばれるインターネットの標準プロトコル（以下、ＴＣＰ／ＩＰという）で決定されている一意なアドレスを割り振り、かつインターネットフォン装置とＩＳＰＡをＴＣＰ／ＩＰ接続する。これは一般にダイヤルアップＩＰ接続と呼ばれる。
【０００５】
次にユーザは、同様にインターネットフォン装置よりダイヤルアップＩＰ接続している他のユーザをインターネット上に存在するインターネットフォン情報サイト（例えば、当説明においては、ＩＳＰのホストに存在する）から知り、任意の通信相手を選択し、インターネットを使用して相互音声通信する。
【０００６】
図８は、従来のＩＳＰのシステムのホストにあるデータベースの情報内容図であって、ユーザＩＤ、パスワード、課金情報、ユーザ固有情報などから成る。
【０００７】
【発明が解決しようとする課題】
しかしながら上記従来の構成では、相互通信しようとするユーザは、互いに前もってＩＳＰＡを通してダイヤルアップＩＰ接続をしていなければならず、さらにこの間は回線使用料金およびＩＳＰの使用料金がかかるものである。
【０００８】
そこで本発明は、この問題を解決しインターネットを利用し、ユーザが任意の時に発呼し、着信側と接続できるように利便性を向上させると共に、より安価に利用可能とするインターネットフォンサーバ装置を提供することを目的とする。
【０００９】
【課題を解決するための手段】
請求項１記載の発明は、少なくとも２つのサーバ装置を含み、サーバ装置間をインターネットで結ぶ通話システムであって、発呼側端末と接続する接続手段と、前記発呼側端末から着信側端末の電話番号を取得する電話番号取得手段と、データベースより前記電話番号に対応するもよりのアクセスポイントを取得するアクセスポイント取得手段とを有する一方のサーバ装置と、前記もよりのアクセスポイントに対応し、前記一方のサーバ装置より前記着信側端末の電話番号を取得し、この電話番号へ発呼をかける発呼手段と、着信側端末がインターネット電話か通常電話かを判断する端末判断手段と、アナログ/デジタル変換手段とを有する他方のサーバ装置と、を有し、前記他方のサーバ装置は、前記端末判断手段が通常電話と判断した場合は前記アナログ/デジタル変換手段によりパケット化された音声データを通常の音声にして着信側の端末に送信し、前記端末判断手段がインターネット電話であると判断した場合は接続した後に得た着信側のインターネット電話のＩＰアドレスを前記一方のサーバ装置へ通知するとともに着信側のインターネット電話には発呼側のサーバのＩＰアドレスを通知することを特徴とする通話システムとした。
【００１０】
請求項２記載の発明は、サーバ装置にデジタル／アナログ変換手段を設けることにより通常の電話機で使用可能とする。
【００１１】
【発明の実施の形態】
本発明によれば、ユーザは任意の時に発呼し、相手側がＩＰ接続して待機していなくても接続させることが可能となり、利便性が非常に向上すると共に安価なインターネットフォン利用が可能となる。
【００１２】
（実施の形態１）
図１は、本発明の実施の形態１の公衆電話回線を利用したインターネットフォン装置で相互音声通信する時のネットワーク構成図であって、一般的な構成を示している。図２は同ＩＳＰＡ構成図、図３は同ＩＳＰシステムのホスト機能図、図４は同データベースの情報内容図である。
【００１３】
図１において、１１、１６はインターネットフォン、１２、１５はＩＳＰＡ、１３はＩＳＰのホスト、１４は登録データベース、１７は一般公衆回線である。また図２において、２１はＤＴＭＦトーン検知手段、２２は一般公衆回線の入出力切換スイッチ、２３は電話番号取得手段、２４は音声ガイダンス通達手段、２５は一般公衆回線発呼手段、２６は中央処理装置であるＣＰＵ、２７はＡ／Ｄ変換を含むインターネット交換器である。また図３において、３１はホストＣＰＵ、３２はユーザ認証手段、３３は着信インターネットフォンもよりのＩＳＰＡ取得手段、３４はデータベースである。
【００１４】
以下、動作を説明する。まず、発呼ユーザは従来方式同様にインターネットフォン１１からダイヤルアップＩＰ接続する。接続後、ＩＳＰＡ１２はＴＣＰ／ＩＰのプロトコルに沿って準備した音声ガイダンス（例えば、相手方電話番号を入力して下さい）を音声ガイダンス通達手段２４にて発呼者へ送信する。発呼者が電話番号入力（ＤＴＭＦトーン入力）すると、ＩＳＰＡのＤＴＭＦトーン検知手段２１により電話番号入力であると判別し、ＤＴＭＦトーンを電話番号取得手段２３で解読し、相手方電話番号を得る。
【００１５】
ＣＰＵ２６は、システムのホストＣＰＵ３１へこの相手方電話番号を送り、システムのホストＣＰＵ３１は、相手方電話番号からデータベース３４を検索し、相手方のもよりのＩＳＰＡ１５を知り、発呼側のＩＳＰＡ１２へは相手方のもよりのＩＳＰＡを知らせ、相手方のもよりのＩＳＰＡへは発呼側のＩＳＰＡと相手方の電話番号を通知する。相手方のもよりのＩＳＰＡ１５は、得た相手方電話番号を一般公衆回線発呼手段２５で着信者のインターネットフォン１６へ一般電話回線発呼する。インターネットフォンが着信したらＰＰＰ接続およびＴＣＰ／ＩＰ接続を行い、着信インターネットフォン１６にＩＰアドレスを付与し、ホスト経由で着信インターネットフォンのＩＰアドレスを発呼インターネットフォン１１まで通知する。同様に発呼インターネットフォンのＩＰアドレスを発呼インターネットフォン１６まで通知する。以上によりインターネット経由での音声通信が可能となる。
【００１６】
（実施の形態２）
図５は本発明の実施の形態２のネットワーク構成図、図６は同ＩＳＰＡ構成図、図７は同データベースの情報内容図である。図５において、５１、５６は通常の電話器、５２、５５はＩＳＰＡである。図６において、６１はＤＴＭＦトーン検出手段、６２は入出力切換スイッチ、６７はＡ／Ｄ変換器、６８は音声圧縮伸張手段、６９はＴＣＰプロトコル手段である。また図７において、７１はユーザＩＤ、７２はパスワード、７３はユーザ固有情報である。
【００１７】
本実施の形態２は、実施の形態１においてインターネットフォンを使用していたところを通常の電話器５１、５６を使用して実施の形態１と同様の効果を得るものである。ユーザは電話器５１よりＩＳＰＡ５２に発呼する。ＩＳＰＡ５２は、音声ガイダンス通達手段２４により、通常電話か否かを問う音声ガイダンス（例えば、通常電話器ならばユーザＩＤと認証パスワードを入力して下さい。インターネットフォンならばそのままお待ち下さい）を流す。
【００１８】
ＤＴＭＦトーン検知手段６１により、ユーザＩＤと認証パスワードが検知されたら、ユーザＩＤと認証パスワードをホスト１３へ通知し、ホストＣＰＵ３１はデータベースの情報ユーザＩＤ７１とパスワード７２より通常電話での使用の可否を通常電話使用判断手段で検査し、その結果を返す。ＩＳＰＡ５２は、結果がＯＫならば、実施の形態１と同様に相手方の電話番号を取得する。電話番号の取得後は、一般公衆回線入出力切換えスイッチ６２を切り換え、Ａ／Ｄ変換器６７により音声のデジタル化後音声圧縮／伸張手段６８により音声圧縮を行い、ＴＣＰプロトコル手段６９により圧縮音声のパケット化を行う。また、相手電話番号をホスト１３へ通知し、ホストＣＰＵ３１はデータベースにより、相手方が通常電話か否かの情報７３で知る。
【００１９】
ホストＣＰＵ３１は実施の形態１と同様に相手方のもよりのＩＳＰＡ１５を知り、発呼側のＩＳＰＡ１２へは相手方のもよりのＩＳＰＡを知らせ、相手方のもよりのＩＳＰＡへは発呼側のＩＳＰＡと相手方電話番号を通知する。相手がインターネットフォンであれば、実施の形態１と同様に処理を続け、相手インターネットフォン１６には発呼側のＩＳＰＡのＩＰアドレスを通知し、発呼側のＩＳＰＡには着信側のインターネットフォン１６を通知する。また、相手が通常電話器であれば、着信側のＩＳＰＡ５５にその旨通知する。着信側のＩＳＰＡ５５は着信電話器５６に発呼し着信したらＴＣＰプロトコル手段６９により、パケット化された圧縮音声データを取りだし、音声圧縮／伸張手段６８で伸張し、Ａ／Ｄ変換器６７で通常の音声に変換して一般公衆回線に送出する。同様に発呼側も処理することにより、インターネット経由での音声通信が可能となる。
【００２０】
【発明の効果】
本発明は、インターネットサーバによって、従来のＩＳＰにより提供されるインターネットフォンシステムに対して利便性が非常に向上し、かつ低コストなインターネットフォン利用が可能となる。
【図面の簡単な説明】
【図１】本発明の実施の形態１の公衆電話回線を利用したインターネットフォン装置で相互音声通信する時のネットワーク構成図
【図２】本発明の実施の形態１のＩＳＰＡ構成図
【図３】本発明の実施の形態１のＩＳＰシステムのホスト機能図
【図４】本発明の実施の形態１のデータベースの情報内容図
【図５】本発明の実施の形態２のネットワーク構成図
【図６】本発明の実施の形態２のＩＳＰＡ構成図
【図７】本発明の実施の形態２のデータベースの情報内容図
【図８】従来のＩＳＰのシステムのホストにあるデータベースの情報内容図
【符号の説明】
１２、１５  ＩＳＰＡ
１３  ＩＳＰのホスト
１４  登録データベース
２３  電話番号取得手段
２５  一般公衆回線発呼手段
３３  ＩＳＰＡ取得手段
３４  データベース
５１、５６  電話器
５２、５５  ＩＳＰＡ
【図１】
0003708268.tif 000002
【図２】
0003708268.tif 000003
【図３】
0003708268.tif 000004
【図４】
0003708268.tif 000005
【図５】
0003708268.tif 000006
【図６】
0003708268.tif 000007
【図７】
0003708268.tif 000008
【図８】
0003708268.tif 000009